(57)【要約】【課題】マイナスイオン発生手段若しくはマイナスイオン放射手段をパチンコ遊技機やスロットマシンを含む遊技機の前面板や、パチンコ遊技機やスロットマシンを含む遊技機における前面板周辺の広範な領域に浮遊する気体対応する箇所に設け、遊技機若しくは遊技機周辺の気体を清浄し、浄化脱臭して遊技者の健康維持を図ると供に遊技場における快適な遊技空間を提供すること。【解決手段】遊技機の機体に対して回転開閉可能係脱可能に設けられ、立体形状が形成されるとともに遊技情報若しくは装飾表示を表示可能とする光透過部が形成される前面板をマイナスイオンを発生するセラミックスを含有して成形した熱可塑性樹脂成形板とする一方、前面板に向けて送風し遊技者にマイナスイオンを放射するマイナスイオン放射手段を設けた。【選択図】        図８
2004358039.tif 000002
【特許請求の範囲】
【請求項１】
遊技機の遊技面を覆って冠着されるとともに、当該当該遊技機における検出や判定制御に基づいて発信される遊技情報若しくは装飾表示を点灯表示する表示素子からの光束を透過して拡散させる光透過部と、該光透過部を含んで立体成型される外形輪郭とを熱可塑性樹脂を成型して形成した熱可塑性樹脂板を、マイナスイオンを発生するセラミックス樹脂成材料を含ませて樹脂成型したことを特徴とする遊技機の前面板。
【請求項２】
立体形状が形成されるとともに遊技情報若しくは装飾表示を表示可能とする光透過部が形成される前面板をマイナスイオンを発生するセラミックスを含有して成形した熱可塑性樹脂成形板とする一方、該前面板に向けて送風し遊技者に前面板よりマイナスイオンを放射するマイナスイオン放射手段が設けられたことを特徴とする遊技機。
【発明の詳細な説明】
【０００１】
【発明が属する技術分野】
本発明は、パチンコ遊技機やスロットマシン等を含む前面板の設けられる遊技機及び前面板に関する。
【０００２】
【従来の技術】
従来、パチンコ遊技機やスロットマシン等を含む前面板は、遊技面をガラス板とともに保護すると供に装飾的機能を果たさせ、また遊技に必要な情報や遊技の趣向感を高めるためのＬＥＤ表示素子や表示ランプからの透過光を表示制御する形態機能を有するにとどまるものであった。
【０００３】
一方、パチンコ遊技機やスロットマシンを遊技場において遊技者が遊戯する場合、煙草が好んで嗜好され、遊技機周辺を含む遊技場内の空気が汚染され不快な異臭が浮遊される状況となっていた。
【０００４】
また煙草を原因とすること以外に多人数が密閉された空間で遊戯する結果、場内の空気は二酸化炭素の密度が増し有害なものに化学変化されることにもなり長時間遊戯する遊技者の健康が害されるものともなっている。
【０００５】
このため、遊技場内に静電気により空気中に浮遊する粉塵を除去する空気清浄機を設置して遊技場内の空気を清浄しまた、遊技場内にダクトを配設して煙草の煙を排気する装置に関する発明が出願され、またオゾンを発生させて臭いの分解や殺菌を行うとする空気清浄器付き幕板なども特許出願され特許されてはいる。
【０００６】
例えば、特開昭６０−５５９７９号、特開平２−２２８９９１号、特開平６−２３１３３号、特開平９−２５３３２２号公報、特開平１０−２７２２５２号、特許第２７１００３２１号、特許第２７４２７３４号、特許第３００９５５１号。
【０００７】
しかしながら、これらはパチンコ遊技機やスロットマシンに付設される灰皿や遊技場内に設置される空気清浄機に係わる技術手段に留まっていて、灰皿にあっては極めて限られた遊技機灰皿周辺の空気に対する処理能力か有さず、他方、場内に設置される空気清浄機にあっては産業分野一般や家庭内で使用される技術を遊技場に特定して開発したものに留まっていて遊技機に関する空気清浄機能を充分に果たす技術思想は創作されていない。
【０００８】
【発明が解決しようとする課題】
本願発明は、パチンコ遊技機やスロットマシンを含む遊技機にマイナスイオン発生手段若しくはマイナスイオン放射手段を前面板や、前面板周辺の広範な領域に対応して設け遊技機若しくは遊技機周辺の空気を清浄し浄化脱臭して遊技者の健康維持と快適な遊技空間を提供する前面板若しくは前面板を有する遊技機を提供することを目的とする。
【０００９】
【課題を解決するための手段】
課題を解決する手段の一つは、遊技機の遊技面を覆って冠着されるとともに、当該当該遊技機における検出や判定制御に基づいて発信される遊技情報若しくは装飾表示を点灯表示する表示素子からの光束を透過して拡散させる光透過部と、該光透過部を含んで立体成型される外形輪郭とを熱可塑性樹脂を成型して形成した熱可塑性樹脂板を、マイナスイオンを発生するセラミックス樹脂成材料を含ませて樹脂成型したことを特徴とする遊技機の前面板としたものである。
【００１０】
また、課題を解決する手段の一つは、立体形状が形成されるとともに遊技情報若しくは装飾表示を表示可能とする光透過部が形成される前面板をマイナスイオンを発生するセラミックスを含有して成形した熱可塑性樹脂成形板とする一方、該前面板に向けて送風し遊技者に前面板よりマイナスイオンを放射するマイナスイオン放射手段が設けられたことを特徴とする遊技機としたものである。
【００１１】
【発明の実施の形態】
本発明における実施の形態を図１から図１１を参考にして以下詳細に説明する。
【００１２】
【実施例１】
以下、灰皿の設けられる遊技機の一例であるパチンコ遊技機について説明する。第一図において、パチンコ遊技機１の前面上部にはセラミックスを含有させた熱可塑性樹脂、例えばポリカーボネイト樹脂を加圧成型した前面板２が、パチンコ遊技機本体枠より開閉係脱可能に設けられる。前面板２には、パチンコ遊技機本体枠より係脱交換可能な遊技盤の中央部の遊技面３を覆設するガラス板４が係着されている。
【００１３】
前記セラミックスが含有されて成型された前面板２の遊技面３を回避した周縁部には、図８で示すようにマイナスイオン放出孔５が複数個透設されている。該前面板２はマイナスイオン発生手段となるものである。
【００１４】
前面板２の隣接した下部には、パチンコ球を貯留すると共に、パチンコ機に設けられる打球発射装置に打球を逐一１個ごと供給する打球供給器に連通される上部球受皿６が設けられる。該上部球受皿６はパチンコ機枠本体より開閉係脱可能な上部前板７に、前記打球供給器と共に設けられる。
【００１５】
上部前板７の下部に隣接して、下部前板８がパチンコ遊技機本体枠に設けられる。
該下部前板８には、遊技者が遊技に際して嗜好し使用することのある煙草や吸い殻を、係置きまたは破棄するための灰皿１０と、上球受皿と連通し重なる賞品球の払い出しにより該上球受皿に充満してオーバーフローしたパチンコ球（賞品球や遊技球）を二次的に貯留する下球受皿１０と、遊技者が遊技盤の遊技面３に向けてパチンコ球を打球する為の弾発力の調整と打球駆動モーターを起動するための発射打球ハンドル９とが設けられている。
【００１６】
前記灰皿１０は、下部前板８に設けられた係合片１２により下部前板８に係着さている。灰皿１０は下部前板８の係合片１２により係支されるとともに、係止が解かれた場合には図示する回転軸１３を中心として回動可能となっている。図４（Ａ）。パチンコ遊技機管理者による作用力を得ると、灰皿１０は下部前板８の係合片１２から離脱して解放され該下部前板８より分離される。また下部前板８より分離された灰皿１０は、回転軸１３を中心として旋回された灰皿１０内の煙草若しくは吸い殻が廃棄可能に転位する。図４（Ｂ）。
【００１７】
灰皿１０は、上記のようにパチンコ遊技機１本体より分離される灰皿ユニットとして構成されるものである。灰皿１０の内部には、灰皿底板１４が敷設されると供に灰皿壁面１５が周設されて煙草の収容可能な形態に形成される。灰皿１０の上表面側には煙草受入面１６と外周面１７とが灰皿底面１４と灰皿壁面１５とともにマイナスイオンを発生するセラミックス樹脂により形成される。
【００１８】
灰皿壁面１５の奥方には、開口１８が形成され下部前板８の透口と連通され灰皿１０内に蓄積された煙草や吸い殻からの煙や臭気汚染物質などを該開口１８より導出する構造となっている。図３参照。なお、セラミックス樹脂の成形の容易さ若しくは灰皿１０に関する部品組み立て工程の簡略化を優先しようとする場合には、開口１８を有す灰皿壁面１５を含めてセラミック樹脂の樹脂成形時に一体成形するのが好ましい。勿論、開口１８を有する灰皿壁面１５を一体成形した灰皿１０本体に組み付ける構成としても良い。
【００１９】
さて、灰皿１０の壁面１５に形成された開口１８より、下部前板８より分離された灰皿１０に対して図５において図示するセラミックシート１９が脱着交換可能に当該灰皿内の底板１４上に収容される。このセラミックシート１９は、上部セラミックス収容板２０と下部セラミックス収容板２１、図５（Ｄ）とにより挟持されたマイナスイオンを発生するセラミックス球２２、図５（Ｃ）の多数個の配列を有してなるものである。
【００２０】
また、セラミックシート１９は、この実施形態の他様々な形態として構成できセラミックスの球や粒子を挟持するものとせず、マイナスイオンを発生するセラミックスを樹脂成形した板状体の一体構成としても良い。また下部前板８に灰皿１０が取りつけられている状態でセラミックシート１９を灰皿１０上方より開口１８を介さず交換可能とする構成としても良い。なお上記セラミックシート１９はセラミックス気体浄化手段となるものである。
【００２１】
下部前板８の裏面側において、灰皿１０の壁面１５に貫設された開口１８から導出される煙草若しくは吸い殻からの煙及び臭気は、該下部前板８とカバー２３と基板２４とで取り囲まれる煙臭気収容箱２５において一旦滞留される形態に形成されている。灰皿１０上に収容された煙草や吸い殻より生じて該煙臭気収容箱２５に滞留されてくる煙草の煙と臭気とは、カバー２３上面側に設けられた浄化導出管２７の通気口２６を介して灰皿１０外部に導出される構造なっている。
【００２２】
この浄化導出管２７内には、煙草若しくは吸い殻からの臭気と煙とを灰皿１０外部に送風するために設けられた第一ファン２８と、第一ファン２８を回転駆動する第一ファン駆動モーター２９とが設けられている。第一ファン２８を挟んで二枚のフィルタが積層されている。フィルタは煙や臭気が流出可能なハニカム状に成型されている。積層された二枚のフィルタはマイナスイオンを放出するセラミックスを素材として円板状に成型されている。該二枚のフィルタは浄化導出管２７に架設され該浄化導出管２７より交換可能に嵌通された上部セラミックスフィルタ３０と同様に脱着交換可能な下部セラミックスフィルタ３１とから構成されている。
【００２３】
図１及び図８において、パチンコ遊技機１における遊技盤の遊技面３を開閉可能に覆設する前面板２には、マイナスイオン放出孔３２が多数個列設され、該前面板２の周縁の上下左右４箇所に計４組のマイナスイオン放出孔の組が設けられている。前面板２の裏面側のマイナスイオン放出孔３２の組に対向して第三ファン３３が各々配置されている。該各々の第三ファン３３は、第三ファン駆動モータ３４により回転駆動されて前面板２周辺で浮遊するマイナスイオンをパチンコ遊技機裏面側より前面側に向けて送風する構成となっている。第三ファン３３は、前面板２の周辺で浮遊するマイナスイオンをパチンコ遊技者に向けて放射するマイナスイオン放射手段となっている。
【００２４】
第三ファン３３及び第三ファン駆動モータ３４は、前面板３に係着される前面板取付機体５０に設けられ、該前面板取付機体５０は既述の遊技面３を保護するガラス板４を収容可能とするガラス収容枠ともなっている。この前面板取付機体５０の中央部は、実施例に対応して遊技盤に立設される遊技レールを取り囲む形態として円形状に透設される場合もある。
【００２５】
前面板取付機体５０は当該パチンコ遊技機で生じるパチンコ遊技に関する情報、例えば入賞球の検出、図示しない大当たり図柄判定手段による大当たり動作の判定、大当たり判定変動時間を短縮する変動時間短縮装置の起動や、図示しない大入賞球受け入れ口に関する連続動作回数など、若しくは大当たり判定を始動するための始動入賞球の検出に応じた情報を点灯表示する表示素子であるＬＥＤ表示素子５６が設けられている。
【００２６】
該ＬＥＤ表示素子５６からの光束は前面板２に設けられた光透過部となる光透過口５５から投射され遊技者に向かって拡散される構造となっている。前面板取付機体５０ＬＥＤ表示素子５６等に対する表示回路基板としても構成される。前記前面板２は、図示しないパチンコ遊技機１機枠に設けられた軸受けに該前面板２の回動軸が軸支されて遊技盤面に対して即ち、パチンコ遊技機１本体より開閉可能にされている。
【００２７】
また、該回動軸はパチンコ遊技機１の機枠の軸受けに対して出没可能に弾性部材により付勢されていて、パチンコ遊技機本体枠よりの前面板２の取り外し作業のための作用力を得て該付勢が解かれて、パチンコ遊技機１の機枠の軸受けより前面板２の回動軸が離脱されて該パチンコ遊技機本体より前面板２が取り外しされる。前面板２には、セラミックス樹脂の成形時に装飾模様や外形形態が立体形成されると同時に前記ＬＥＤ表示素子からの情報表示や装飾表示に係る光束を通過される光透過口５５が形成される。
【００２８】
また、既述したパチンコ遊技機若しくはスロットマシンが多数個設置される遊技場の島台３５には、例えば図９で示すように各パチンコ遊技機１一台に対応して島灰皿３６が各々対設される。該島灰皿３６には煙臭気導出管３７が連通され、各パチンコ遊技機に付設された複数の島灰皿３６は、該煙臭気導出管３７により島灰皿３６内で停留される煙草や吸い殻からの煙や臭気に係わる気流が連通状態で流動されるよう構成されている。
【００２９】
島灰皿３６は、パチンコ遊技機に設けられる灰皿１０と同様に、マイナスイオンを発生するセラミックス樹脂を樹脂成型機によりして成形して製造される。従って島灰皿３６を構成するセラミック樹脂からもマイナスイオンが放出され、放出されたマイナスイオンは煙草や吸い殻からから発生される煙及び臭気を清浄し脱臭する作用を果たす。
【００３０】
第１０図において、前記島灰皿３６連通されている煙臭気導出管３７はパチンコ遊技場内に設置された煙臭気浄化装置３８に接続されている。該煙臭気浄化装置３８には遊技場第一セラミックスフィルタ４１と遊技場ファン４３遊技場ファン駆動モーター４２と遊技場第二セラミックフィルタ４４とが設けられている。
【００３１】
遊技場第一セラミックスフィルタ４１と第二セラミックスフィルタ４４とは既述した下部セラミックスフィルタ３１と上部セラミックスフィルタ３０と同様の構成により汚染された気体をフィルタ自体で濾過すると供に、フィルタを構成するセラミックスより放射されるマイナスイオンによって、煙や空気を洗浄し異臭を脱臭する。この作用は遊技場ファン４３が遊技場ファン駆動モーター４２に駆動されて旋回し空気を強制的に送風することによってさらに機能が増幅される。上記遊技場第一セラミックフィルタ４１および遊技場セラミックフィルタ４４はセラミックス気体浄化手段となるものである。
【００３２】
既述したパチンコ遊技機１に設けられる灰皿１０は、セラミックスが含有された熱硬化性樹脂を樹脂成型機により加圧成形して製造する。セラミックスは例えばクリストバル石、凝灰石、酸化カルシウム、マグネシア、シリカおよびチタンの各セラミックス、若しくは各セラミックスを混合したセラミックスなどマイナスイオンを発生するセラミックス素材を樹脂成形材とする。熱硬化性樹脂は、パチンコ遊技機１に灰皿１０を搭載して使用する場合に煙草から発せられる高熱に耐えうるフェノール樹脂を樹脂成形基材として混合して樹脂成型機により灰皿１０を成形製造する。
【００３３】
なお、セラミックス樹脂のみで灰皿を形成することがセラミックス樹脂の成形上困難となら無い場合には、マイナスイオンを発生するセラミックス樹脂のみにより灰皿１０を形成するものとしてもよく、樹脂成形の容易性、もしくはマイナスイオンの発生効率を比較考慮して成形樹脂基材や含有樹脂の混入割合を好ましい重量パーセント割合に設定する。発明創作に係わって実施した試験結果における適正な配合割合は、熱硬化性樹脂を基材とした全樹脂性材料中では、セラミックス材料は多くとも数パーセント割合で混入させるのものとするのが成形性上の問題を改善し、煙草や吸い殻から生じる煙や汚染された空気若しくは異臭について、これを清浄し脱臭するに機能するマイナスイオンの発生効率とすることができる。
【００３４】
さらに熱硬化性樹脂であり樹脂成形の基材とするフェノール樹脂に含侵させるセラミックス材料は、紛状若しくは粉状として整え、これを製陶時に採用される粘土材状物質として混合して成形に供給する製造方法を選定する。上記したセラミックス原料の鉱石と陶土とは、必要により水分の含有率を極めて低く乾燥状態のものとして混入し樹脂成形装置に供給する方法の他、前記のように粘土状物質として樹脂成形装置に供給する樹脂供給方法を試験し実施例として採用した。セラミックス樹脂の製造試験及び製造された灰皿に基づく空気の清浄結果からすると、フェノール樹脂９０重量パーセントに対してセラミックス混合材１０パーセント未満、さらに特定すれば５重量パーセント程度とするのが好ましい。加圧成形時の形成温度は摂氏２００から摂氏１６００度の範囲内で調整するものとしたが摂氏１２００度以上とすると極めて安定した成形結果が得られた。
【００３５】
さて、遊技者使用の煙草を係入係脱可能とし吸い殻の受け容れ面となる煙草受入面１６と、必要により図示しない装飾形状が形成される外周面と１７と、マイナスイオンの拡散効率を高める面領域を拡大するために図示省略した凹凸形状に形成される壁面１５および底板１４とを樹脂成型機の型枠で加圧成形して灰皿１０の前面側部を形成する。次に、同一素材のセラミックス樹脂成形材を第二の樹脂成型機で加圧成形して灰皿１０の後面側部となる開口１８を有す壁面１５Ｂの板状体を成形する。前記前面側部の成形体に、当該後面側部となる板状体を係着し組み付けて灰皿１０を一体に製造する。勿論、前面側部と後面側部とを単一の樹脂成型機に基づき一体とされた灰皿１０としてセラミックス樹脂を成形するものとしても良い。
【００３６】
灰皿１０についてマイナスイオンを発生するセラミックス樹脂材を混入した熱可塑性樹脂の樹脂成形により成形し、灰皿１０の壁面１５若しくは底板１４をマイナスイオン拡散放射用の凹凸面として形成したことによって灰皿１０よりは効率よく密度の高いマイナスイオンが拡散放射することができる。
【００３７】
セラミックスより発生されるマイナスイオンは、煙草や吸い殻から発生される異臭を脱臭し、塵埃を浄化し、汚れた空気を清浄する作用を果たす。またセラミックスより発生されるマイナスイオンが、直接煙草や吸い殻からの煙や汚染された気体若しくは臭気に接触しない場合においても、セラミックス樹脂形成された灰皿１０のセラミックスより発生されたマイナスイオンは、灰皿１０の周辺領域、若しくは当該パチンコ遊技機１の周辺部を漂う空気についての空気清浄作用を発揮する。また灰皿１０に含有されたセラミックスより発生されるマイナスイオンは人の精神機能についての鎮静作用をも有すものであるので、遊技に熱中した遊技者に生じ得る不安定な精神状態を安定なものとして落ち着かせる作用を果たす。
【００３８】
既述したように、本実施例に記載した灰皿１０の底板１４に対してはセラミックシート１４が脱着可能に敷設されている。このセラミックシート１４は、灰皿１０から発散されるマイナスイオンによる機能作用と同様に、実施例として採用したセラミックス球２２から発生されるマイナスイオンによって煙草や吸い殻からの煙、塵埃、臭気、を浄化し脱臭する。これにより煙草の臭気、煙、塵埃の脱臭浄化作用を灰皿１０と供にセラミックシート１４においても果たすものとなる。更に精神的な鎮静作用も灰皿１０が有するセラミックスからのマイナスイオンと共に相乗的に出現させる。
【００３９】
セラミックシートは交換可能な構成としているため、長期期間の使用により損傷し若しくは汚れを生じたような場合には、当該セラミックスシートを交換することにより浄化、脱臭、精神沈静機能の再生維持が可能となる。本実施例においてはセラミックシート１０には表面領域が最大となる球形のセラミックス球２２が挟持されて構成されているので、マイナスイオンの拡散面を最大に広く取ることが出来るものとなっている。
【００４０】
既述したように、灰皿１０の後方にある下部前板８裏面の奥方には、カバー２３と基板２４等で形成された煙臭気収容箱２５が設けられ、煙臭気収容箱２５に臨み連通状態で浄化導出管２７が接続され浄化気体の誘導経路が形成されている。該浄化導出管２７内部には、灰皿１０上に滞留された煙草の煙や臭気を洗浄した後に灰皿１０外部に向けて浄化導出する第一ファン２８が設けられている。この、灰皿１０上に滞留された煙草や吸い殻からの煙や臭気を浄化脱臭後に灰皿１０外部に向けて浄化導出する第一ファン２８は、電気的動力を得た第一ファン駆動モータ２９に駆動旋回されて煙草や吸い殻からの煙と臭気とを下通気口２６ａより上通気口２６ｂに送風する。
【００４１】
該第一ファン２８と第一ファン駆動モータ２９とが着座された浄化導出管２７には、上部セラミックフィルタ３０と下部セラミックフィルタ３１とが浄化導出管２７に嵌入されている。該上部セラミックフィルタ３０と下部セラミックフィルタ３１とは、上下に積層され、該浄化導出管２７より脱着交換可能に配設されている。なお、上記上部セラミックフィルタ３０若しくは下部セラミックフィルタ３１とはそれぞれセラミック浄化手段となるものである。
【００４２】
これにより灰皿１０と、セラミックシート１９とからのマイナスイオンによって完全には浄化されず脱臭されなかった場合の煙草や吸い殻からの煙、臭気及び汚染された空気は、第一ファン駆動モーター２９により回動される第一ファン２８によって吸引されて下部セラミックフィルタ３１を通過することにより濾過される。更に煙草からの煙、臭気は、この後第一ファン２８により上部セラミックフィルタ３０側に送り出されて再び上部セラミックスフィルタ３０により濾過される。
【００４３】
これら複数のフィルタ下部セラミックフィルタ３１と上部セラミックスフィルタ３０とによる濾過作用と、下部セラミックフィルタ３１から発せられるマイナスイオンと、上部セラミックフィルタ３０から発生されるマイナスイオンとによって完全に浄化脱臭されなかった場合の煙草若しくは吸い殻からの煙、臭気及び汚染された気体が浄化され脱臭されて空気の汚れが清浄される。
【００４４】
灰皿１０のセラミックスから発生されるマイナスイオンと、セラミックシート１９のセラミックスより発生されるマイナスイオンと、セラミックフィルタ３１、３０のセラミックスから発生されるマイナスイオンとによって煙草や吸い殻から発生される煙、臭気若しくは汚染された気体は、ここで重ねて浄化脱臭され、パチンコ遊技機における灰皿１０周辺領域で漂う空気が極めて高レベルで清浄される。
【００４５】
次に、図９を、参照してさらに詳しく実施形態を説明する。図９はパチンコ遊技機やスロットマシンが設置される遊技場の一部の概要を図示したものである。遊技場に敷設されたパチンコ遊技機島３５は島パチンコ遊技機設置台３９が設けられる。該島パチンコ遊技機設置台３９には多数のパチンコ遊技機やスロットマシンが列設される。該列設されたパチンコ遊技機１の近傍の島パチンコ遊技機設置台上には島灰皿３６が各パチンコ遊技機に対応して付設されている。
【００４６】
該付設された島灰皿３６は煙臭気導出管３７が連通され島灰皿内に破棄された煙草や吸い殻からの煙や臭気汚染物質を誘導可能に構成されている。該煙臭気導出管３７はさらに遊技場に設置された煙臭気浄化装置３８に連通接続され、煙臭気浄化装置３８には煙臭気導出管３７を介して島灰皿３６に投棄された煙草や吸い殻から発散される煙と臭気と汚染物質とを送り出す送風ファンが設けられている。
【００４７】
図１０（Ｂ）において、島灰皿３６に係入され投棄された煙草や吸い殻からの煙と臭気とは、煙臭気導出管３７ａに付設された図示しない送風ファンによる吸引作用と送風作用とにより煙臭気浄化装置３８に流動する。同様に他のパチンコ遊技機に対設された各島灰皿３６で収容された臭気と煙と汚染物質とは、図示しない送風ファンにより煙臭気導出管３７ｂに導かれる。図１０（Ｃ）。
【００４８】
煙臭気導出管３７ｂの終端に臨んで空気（煙、臭気）浄化装置３８が設けられている。該空気浄化装置３８には、遊技場第一セラミックフィルタ４１と、遊技場ファン駆動モーター４２と、遊技場ファン４３と、遊技場第二セラミックフィルタ４４とが設けられている。図１０（Ａ）。
【００４９】
遊技場第一セラミックフィルタ４１と、遊技場第二セラミックフィルタ４４とは空気浄化装置３８本体より脱着交換可能に設けられていて空気浄化作用能力が低減した場合等に交換される。
【００５０】
多数の島灰皿３６に収容された煙草や吸い殻からの煙、臭気および汚染物質は煙臭気導出管３７ａ、３７ｂで合流される。煙、臭気および汚染物質は、電気的駆動源を得た遊技場ファン駆動モータ４２によって回動される遊技場ファン４３の空気吸引作用により、煙と臭気と汚染物質とを遊技場第一セラミックフィルタ４１と遊技場第二セラミックフィルタ４４とに通過させる。煙と臭気と汚染物質とは遊技場第一セラミックフィルタ４１と遊技場第二セラミックフィルタ４４とにより濾過される。セラミックフィルタ４１、セラミックフィルタ４４とからはそれぞれマイナスイオンが発生されていて複合的かつ相乗的なマイナスイオンによる臭気の脱臭と、煙、空気、汚染物質についての浄化作用が実現されている。
【００５１】
このように（空気）煙臭気導出管３７を通過した空気がフィルタ濾材により濾過されるとともに、セラミックスフィルタ４１、４４のセラミックスから放射されるマイナスイオンによって煙草や吸い殻からの煙や臭気および汚染物質された後は、空気浄化装置３８の図示しない吹出口より清浄浄化された気体がパチンコ遊技場内の清浄空間内に送風される。
【００５２】
これにより、パチンコ遊技場内にはマイナスイオンが拡散放射され遊技者の遊技によって高まった気分が沈静化され精神状態の安定が図れる。特に島灰皿３６に関する煙草の処理には係わらないこれとは別系統となる、パチンコ遊技場内の空気を浄化する送風ファンとセラミックフィルタをさらに設ければ、射幸心を有する遊技者の精神状態を安定させる効果を生じる。
【００５３】
次に、パチンコ遊技機１本体に関して図１及び図８において図示された前面板２について説明する。パチンコ遊技機１の前面側に設けられる該前面板２は、セラミックスが含有された熱可塑性樹脂を樹脂成型機の加圧成型により形成して製造される。セラミックスはマイナスイオンを発生するクリストバル石、凝灰石、酸化カルシウム、マグネシア、シリカおよびチタンの各セラミックス若しくは各セラミックスを混合したマイナスイオンの放射能力のあるセラミックスを樹脂成形素材とする。熱可塑性樹脂はＡＢＳ樹脂を樹脂成形の基材として混合し樹脂成型機の加圧成形により製造する。
【００５４】
この加圧成形時には中央部に遊技面３が透視できる開口を形成する。セラミックス樹脂成形の容易性とマイナスイオンの発生効率を比較考慮して成形樹脂基材や含有樹脂の混入割合を好ましい重量パーセント割合に設定する。発明創作に係わって実施した試験結果における適正な配合割合は、熱可塑性樹脂を基材とした全樹脂性材料中では、セラミックス材料は多くとも数パーセント割合で混入させるのものとするのが成形性上の問題を改善し、煙草や吸い殻から生じる煙や汚染された空気若しくは異臭について、これを清浄し脱臭するに機能するマイナスイオンの発生効率とすることができる。
【００５５】
さらに熱可塑性樹脂であり樹脂成形の基材とする例えばポリカーカーボネイト樹脂に含侵させるセラミックス材料は、紛状若しくは粉状として整え、これを製陶時に採用される粘土材状物質として混合して成形に供給する製造方法を選定する。上記したセラミックス原料の鉱石と陶土とは、必要により水分の含有率を極めて低く乾燥状態のものとして混入し樹脂成形装置に供給する方法の他、前記のように粘土状物質として樹脂成形装置に供給する樹脂供給方法を試験し実施例として採用した。セラミックス樹脂の製造試験及び製造された前面板に基づく空気の清浄結果からすると、フェノール樹脂９０重量パーセントに対してセラミックス混合材１０パーセント未満、さらに特定すれば５重量パーセント程度とするのが好ましい。
【００５６】
また前面板２の上部右側の周縁部と下部左右の周縁部の計３箇所には、各９個を組として列設されたマイナスイオン放出孔３２が形成されると同時に、前面板２外形輪郭が立設された立体形状と、前面板取付機体５０に設けられたＬＥＤ表示素子５６からの光束を透過させて遊技情報や装飾表示を行う光透過部となる光透過口５５が樹脂の成形時にセラミックス樹脂の形成体として成型される。光透過口５５には遊技情報表示を拡散する為の図示しない樹脂成形レンズが覆設される。
【００５７】
勿論、熱可塑性樹脂としてポリカーボネイト樹脂の他、ＡＢＳ樹脂やＰＥＴ樹脂を樹脂成形の基材として採用しても良く、また成形が可能となればセラミックス樹脂のみで前面板２を形成するものとしても良い。前面板２周縁部には、図示しない遊技情報表示用の光透過部や、装飾機能を具現する立体形状をセラミックス樹脂の成形時に一体形成しても良い。
【００５８】
このようにして得られたセラミックス樹脂性前面板２は、パチンコ遊技機本体の組み立て製造によって、パチンコ遊技機１本体に対して遊技面を覆う状態で開閉係脱可能に覆設される。パチンコ遊技機１の遊技者に対向する前面側の大半の領域を占有することとなる前面板２を、マイナスイオンの放射機能を有するセラミックスで樹脂成形したことによって、当該パチンコ遊技機１で遊戯する遊技者に向かってマイナスイオンが投射される。
【００５９】
セラミックス樹脂から形成された前面板２からのマイナスイオンの発散により、パチンコ遊技機１前方の当該パチンコ遊技機で遊戯する遊技者周辺で漂う空気が浄化される。また煙草や吸い殻からの臭気や遊技場内で発生する不快な異臭をマイナスイオンが脱臭し、塵埃その他の浮遊粒子の発生を抑制し、遊技場内の空気を清浄すると供に、セラミックス樹脂で成形された前面板２の広い領域へのマイナスイオンの拡散効果によって、遊技者の高まった趣向感に対して鎮静的、抑制的作用を与えて、遊技者の精神状態を最良の状態に保持して快適なパチンコ遊技空間領域を形成する。
【００６０】
加えて、本実施例においては、前面板２の後方裏面側には、第三ファン（マイナスイオン放射ファン）３３が設けられている。第三ファン３３は第三ファン駆動モーター３４により回転される構造を有する。第三ファン３３は電気的駆動源からの電力供給を得た第三ファン駆動モータ（マイナスイオン放射ファン駆動モータ）３４により旋回駆動されるよう前面板取付機体５０を介して設けられている。前面板取付機体５０は、中央部に遊技者がガラス板４を介して遊技盤面を透視可能とする開口が貫設される。一方前面板取付機体５０には前面板２裏面側に対して該前面板取付機体５０を付設するための図示しない組み付け手段が設けられ、前面板２に前面板取付機体５０が係着される。
【００６１】
前面板２を構成するセラミックス樹脂成形体から直接発生されるマイナスイオン、および前面板２の裏面側における前面板取付機体５０内で浮遊するマイナスイオンは、前記マイナスイオン放射駆動モータ３４により旋回駆動されてパチンコ遊技機１後方より遊技者側に向けて空気を送風するマイナスイオン放射ファン３３により放射される。
【００６２】
このようにマイナスイオン放射ファン３３によって、パチンコ遊技機１後方より遊技者側に向けて前面板２周辺で浮遊するマイナスイオンが強制的に放射される構成としているので、遊技者周辺で漂う空気の浄化作用が強化される。また煙草の臭気や遊技場内で発生する不快な異臭を強力に脱臭し、塵埃その他の浮遊粒子の発生を極めて効果的に抑制し、併せて遊技場内の空気を清浄すると供に前面板２の広い領域を介したマイナスイオンの遊技者に向けての強力な拡散作用により、遊技者の高揚した趣向感に対して鎮静的、抑制的作用を与える。
【００６３】
また遊技者の精神状態を最良の状態に保持して快適なパチンコ遊技空間領域を形成する。
【００６４】
上記実施形態においては、前面板２についてこれをマイナスイオンを発生するセラミックス樹脂として成形したものであるが、パチンコ遊技機の機体表面側に設けられるパチンコ遊技機１の前面枠体や、上部前板７、若しくは上部前板７に設けられる上球受皿６などを対象としてマイナスイオンを発生するセラミックス樹脂により樹脂成形し、樹脂成形されたセラミックス樹脂成形体から発散されるマイナスイオンによる気体清浄と脱臭と精神作用をパチンコ遊技機において機能させるようにしても良い。
【００６５】
なお、既述の煙草処理手段には、灰皿１０あるいはセラミックシート１９若しくはセラミックフィルタ３０、３１、第一ファン２８が対応されている。
【００６６】
本願発明の実施例に記載した発明の課題を解決する手段の一つは、遊技機の遊技面を覆って冠着されるとともに、当該当該遊技機における検出や判定制御に基づいて発信される遊技情報若しくは装飾表示を点灯表示する表示素子からの光束を透過して拡散させる光透過部と、該光透過部を含んで立体成型される外形輪郭とを熱可塑性樹脂を成型して形成する熱可塑性樹脂板を、マイナスイオンを発生するセラミックス樹脂成材料を含ませて樹脂成型したことを特徴とする遊技機の前面板としたものである。
【００６７】
また、本願発明の実施例に記載した課題を解決する手段の他の一つは、立体形状が形成されるとともに遊技情報若しくは装飾表示を表示可能とする光透過部が形成される前面板をマイナスイオンを発生するセラミックスを含有して成形した熱可塑性樹脂成形板とする一方、該前面板に向けて送風し遊技者に前面板よりマイナスイオンを放射するマイナスイオン放射手段が設けられたことを特徴とする遊技機としたものである。これによりパチンコ遊技機やスロットマシンを含む遊技機における前面板周辺の広範な領域に浮遊する気体を清浄し、異臭を脱臭して、遊技空間おいて汚染された空気を再生する。また空気を清浄しマイナスイオンを遊技者に投射して、遊技者の健康維持を図ると供に遊技機周辺における快適な遊技空間を遊技者及び遊技場に提供できる。
【００６８】
なお、遊技者使用の煙草を係入係脱可能に形成すると共に、煙草から排出される煙と臭気とにマイナスイオンを作用させるセラミックスを含有した熱硬化性樹脂を成形した灰皿、灰皿に載置された煙草の煙、臭気を浄化し脱臭するマイナスイオンを発生するセラミックシート、灰皿に載置され収納された煙草の煙、臭気を浄化し脱臭するセラミックフィルタとを、それぞれ独立した発明の構成要件とすることは勿論である。
【００６９】
【発明の効果】
【００７０】
本願発明は、遊技機の遊技面を覆って冠着されるとともに、当該当該遊技機における検出や判定制御に基づいて発信される遊技情報若しくは装飾表示を点灯表示する表示素子からの光束を透過して拡散させる光透過部と、該光透過部を含んで立体成型される外形輪郭とを熱可塑性樹脂を成型して形成する熱可塑性樹脂板を、マイナスイオンを発生するセラミックス樹脂成材料を含ませて樹脂成型したことを特徴とする遊技機の前面板を要旨とし、また、立体形状が形成されるとともに遊技情報若しくは装飾表示を表示可能とする光透過部が形成される前面板をマイナスイオンを発生するセラミックスを含有して成形した熱可塑性樹脂成形板とする一方、該前面板に向けて送風し遊技者に前面板よりマイナスイオンを放射するマイナスイオン放射手段が設けられたことを特徴とする遊技機を要旨とするものである。これにより、パチンコ遊技機やスロットマシンを含む遊技機における前面板周辺の広範な領域に浮遊する気体を清浄し、異臭を脱臭して、遊技空間おいて汚染された空気を再生する。また空気を清浄しマイナスイオンを遊技者に投射して、遊技者の健康維持を図ると供に遊技機周辺における快適な遊技空間を提供することができる効果を生じる。
【００７１】
【図面の簡単な説明】
【図１】本発明におけるパチンコ遊技機の正面図である。
【図２】本発明におけるパチンコ遊技機の灰皿を含む下部前板の立体斜視図である。
【図３】本発明におけるパチンコ遊技機の灰皿の立体斜視図である。
【図４】本発明におけるパチンコ遊技機の灰皿とセラミックシートとについての分離、脱着交換状態を示す図である。
【図５】本発明におけるパチンコ遊技機の灰皿に収納される交換可能なセラミックシートの構造を示す立体斜視図である。
【図６】本発明におけるパチンコ遊技機の下部前板に設けられる灰皿と第一ファンの取付状態を示す立体斜視図である。
【図７】本発明におけるパチンコ遊技機の下部前板および灰皿に付設される浄化導出管の断面立体斜視図である。
【図８】本発明におけるパチンコ遊技機に開閉可能に設けられる前面板と前面板取付機体の概要を示す立体斜視図である。
【図９】本発明におけるパチンコ遊技機が設置される遊技場の島パチンコ遊技機設置台を示す正面図である。
【図１０】本発明におけるパチンコ遊技機が設置される遊技場に設けられる空気（煙臭気）  浄化装置と、島灰皿と、煙臭気導出管との概要を示す図である。
【図１１】本発明におけるパチンコ遊技機が設置されるパチンコ遊技機設置台に設けられる島灰皿と煙臭気導出管の概要を示す立体斜視図である。
【符号の説明】
１    パチンコ遊技機  、２    前面板  、３    遊技面  、
４    ガラス板  、５    マイナスイオン放出孔  、６    上球受皿  、
７    上部前板  、８    下部前板  、９    打球ハンドル  、１０    灰皿  、１１    下球受皿  、１２    係合片  、１３    回転軸  、
１４    灰皿底板  、１５    灰皿壁面  、１６    煙草受面  、
１７    外周面  、１８    開口  、１９    セラミックスシート  、
２０    上部セラミックスシート  、２１    下部セラミックスシート  、
２２    セラミックス球  、２３    カバー  、２４    基板  、
２５    煙臭気収容箱  、２６    通気口  、２７    浄化導出管  、
２８    第一ファン  、２９    第一ファン駆動モータ  、
３０    上部セミックフィルタ  、３１  下部セラミックフィルタ  、
３２    マイナスイオン放出孔  、３３  第三ファン  、３４    第三ファン  、３５    パチンコ遊技機島  、３６    島灰皿  、３７    煙臭気導出管  、３８    煙臭気浄化装置（空気浄化装置）  、４０    島灰皿ユニット  、
４１    遊技場第一セラミックフィルタ  、４２    遊技場ファン駆動モータ  、４３    遊技場ファン  、４４    遊技場第二セラミックフィルタ  、
５０    前面板取付機体。
【図１】
2004358039.tif 000003
【図２】
2004358039.tif 000004
【図３】
2004358039.tif 000005
【図４】
2004358039.tif 000006
【図５】
2004358039.tif 000007
【図６】
2004358039.tif 000008
【図７】
2004358039.tif 000009
【図８】
2004358039.tif 000010
【図９】
2004358039.tif 000011
【図１０】
2004358039.tif 000012
【図１１】
2004358039.tif 000013